(57)【要約】【課題】電子機器の小型化に伴い省スペース化に対応し、接触信頼性の高い超小形のロータリスイッチを提供することを目的とする。【解決手段】ハウジングとベースでスイッチ本体を構成し、前記ハウジングの上面より突出した操作部と一体的に形成されハウジング内を回動自在に配設するロータの裏面に設けた凹凸で押下される可動接片の接触片の反発力をバランスよく分散して可動接片の傾きを抑えるように、ロータ裏面の外縁部で圧接するとともに、接触片を連結する固定片に切欠部を設けた。【選択図】      図１
2005322478.tif 000002
【特許請求の範囲】
【請求項１】
スイッチ本体をハウジングとベースで構成し、前記ハウジングの上面より突出した操作部と、該操作部と一体的に形成されスイッチ本体内に配設されるロータと、前記ベースの内底面に配設された複数の固定接片と対向して配設される弾性部材で形成した可動接片と、前記操作部の回転操作に連動して回転する前記ロータにより前記可動接片を上下動させて電路の開閉をなすロータリスイッチにおいて、前記ロータの裏面部の縁部に環状の凸部を設けるとともに、該凸部内に凹凸カムを形成し、前記可動接片に略円弧状で対向する固定片を連結部で一体的に形成し、前記固定片から突出して先端を遊端部として略中央部を山形に曲折させた複数の接触片を設けるとともに、前記固定片内面に対を成す垂設部を形成し、前記ロータの裏面部に設けた前記凸部が前記固定片の上面周囲を押圧するとともに、前記ロータの前記凸部内に位置する前記固定片に切欠部を設けたことを特徴とするロータリスイッチ。
【請求項２】
前記固定片から突出した前記接触片を前記遊端部にかけて前記可動接片の外形と略同等の曲率を設けたことを特徴とする請求項１記載のロータリスイッチ。
【請求項３】
前記可動接片に設けた対向する前記固定片から交互に接触片を配設したことを特徴とする請求項１記載のロータリスイッチ。
【請求項４】
前記連結部の略中央部に貫通孔を設けるとともに、該貫通孔と係合する前記ベースの上面略中央部に突起を設けたことを特徴とする請求項１記載のロータリスイッチ。
【発明の詳細な説明】
【技術分野】
【０００１】
本発明は、各種電子機器の信号系を切り替えるロータリスイッチに係り、特に小形で組立が容易であるとともに、接触が安定するロータリスイッチに関するものである。
【背景技術】
【０００２】
図５は従来のロータリスイッチの分解斜視図を示す。図５において、ハウジング１１の上面の略中央部に貫通孔１１ａを設け、該貫通孔１１ａに操作部として一体化するロータ１４と切換節度を確保する板バネ１３を配設し、べース１７内の固定接点１７ａと可動切片１５で構成する接触機構部と摺動するロータ１４の下面に設けた凹凸カムの高さ確保のためガイド板１８を配設してハウジング１１とべース１７を凹凸係合させる構成であり、ロータリスイッチとしての接触信頼性は実用上十分であった。
【０００３】
然るに、電子機器の軽薄短小化に伴い、プリント基板に搭載される電子部品の高さや奥行きの小形化が要望され、限られたスペース内で各種装置の設定を切替える超小形のロータリスイッチの接触安定性が益々重要となる。
【特許文献１】なし
【発明の開示】
【発明が解決しようとする課題】
【０００４】
図５で示す従来のロータリスイッチの回動するロータ１４の設定位置によっては、ロータ１４下面の凹凸カムで可動接片１５の複数の接触片１５ａを押下する際にバランスに差異を生じ、接触片１５ａの固定片１５ｂに生じた反発力が不均等となり、固定片１５ｂを連結した可動接片１５の連結部１５ｃに傾動を発生し、連結部１５ｃの外周に設けた垂設部１５ｄが可動接片１５の剛性を持たせ、捩じれや浮き上がりによる片側の接触片１５ａの接地圧力が低下するという難点があった。
また、可動接片１５の連結部１５ｃの捩じれによる浮き上がりを回避するため、ロータ１４の下面の凹凸カムと可動接片１５の間には、角部に折曲部１８ａを形成して弾性をもたせたガイド板１８の配設を必要とし、このガイド板１８と可動接片１５の略中央部に設けた貫通孔１８ｂ、１５ｅとベース１７の突起１７ｂを加締め固定して一体となし、このベース１７とスイッチ本体を構成するハウジング１１を凹凸係合して、ハウジング１１内に設けたロータ１４の下面がガイド板１８を押下する構成としたため、部品の調達、製品の組立、弾性を持たせた部品同士の加締め固定条件を制御し、維持管理するには非常に微妙な調整を必要とする難点があった。
本発明は、上記問題点を解決し、接触が安定し組立が容易で、省スペース化に対応したロータリスイッチを提供することを目的とする。
【課題を解決するための手段】
【０００５】
本発明は、上記目的を達成するために、スイッチ本体をハウジングとベースで構成し、前記ハウジングの上面より突出した操作部と、該操作部と一体的に形成されスイッチ本体内に配設されるロータと、前記ベースの内底面に配設された複数の固定接片と対向して配設される弾性部材で形成した可動接片と、前記操作部の回転操作に連動して回転する前記ロータにより前記可動接片を上下動させて電路の開閉をなすロータリスイッチにおいて、前記ロータの裏面部の縁部に環状の凸部を設けるとともに、該凸部内に凹凸カムを形成し、前記可動接片に略円弧状で対向する固定片を連結部で一体的に形成し、前記固定片から突出した先端を遊端部として略中央部を山形に曲折させた複数の接触片を設けるとともに、前記固定片内面に対を成す垂設部を形成し、前記ロータの裏面部に設けた前記凸部が前記固定片の上面周囲を押圧するとともに、前記ロータの前記凸部内に位置する前記固定片に切欠部を設けた構成としたことを特徴とする。
また、前記固定片から突出した前記接触片を前記遊端部にかけて前記可動接片の外形と略同等の曲率を設け、さらに前記可動接片に設けた対向する固定片から交互に接触片を配設し、加えて前記連結部の略中央部に貫通孔を設けるとともに、該貫通孔と係合する前記ベースの上面略中央部に突起を設けた構成としたことを特徴とする。
【発明の効果】
【０００６】
本発明によれば、次のような効果を奏することができる。
（１）スイッチ本体をハウジングとベースで構成し、ハウジングの上面より突出した操作部と、操作部と一体的に形成されスイッチ本体内に配設されるロータと、ベースの内底面に配設された複数の固定接片と対向して配設される弾性部材で形成した可動接片と、操作部の回転操作に連動して回転するロータにより可動接片を上下動させて電路の開閉をなすロータリスイッチにおいて、ロータの裏面部の縁部に環状の凸部を設けるとともに、凸部内に凹凸カムを形成し、可動接片に略円弧状で対向する固定片を連結部で一体的に形成し、固定片から突出した先端を遊端部として略中央部を山形に曲折させた複数の接触片を設けるとともに、固定片内面に対を成す垂設部を形成し、ロータの裏面部に設けた凸部が固定片の上面周囲を押圧するとともに、ロータの凸部内に位置する固定片に切欠部を設けた構成としたので、ロータ裏面の凹凸カムにより可動接片の一乃至複数の接触片を押下させたとき、その押下荷重は切欠部により、固定片の剛性を減衰させ、固定片に生じる反発力による固定片と連結部の傾きを減らし、可動接片の傾きを防止して、ベースの固定接片と可動接片の接触片との接触力を確保し、誤接触のない安定したロータリスイッチを提供することができる。
（２）スイッチ本体をハウジングとベースで構成し、ハウジングの上面より突出した操作部と、操作部と一体的に形成されスイッチ本体内に配設されるロータと、ベースの内底面に配設された複数の固定接片と対向して配設される弾性部材で形成した可動接片と、操作部の回転操作に連動して回転するロータにより可動接片を上下動させて電路の開閉をなすロータリスイッチにおいて、可動接片を円形状に形成するとともに、接触片の固定片と遊端部にかけて可動接片の外形と略同等の曲率を設けた構成としたので、機器の軽薄短小化に貢献する小形のロータリスイッチを提供することができる。
（３）スイッチ本体をハウジングとベースで構成し、ハウジングの上面より突出した操作部と、操作部と一体的に形成されスイッチ本体内に配設されるロータと、ベースの内底面に配設された複数の固定接片と対向して配設される弾性部材で形成した可動接片と、操作部の回転操作に連動して回転するロータにより可動接片を上下動させて電路の開閉をなすロータリスイッチにおいて、可動接片の固定片に垂設部を、また連結部の略中央部に貫通孔をそれぞれ設けて、ベースとの可動接片の回転を防止するとともに、可動接片に設けた対向する固定片から交互に接触片を配設した構成としたので、一方の固定片に連結する接触片の傾きが他方の固定片に連結する接触片に影響し辛く、誤接触のない安定したロータリスイッチを提供することができる。
（４）スイッチ本体をハウジングとベースで構成し、ハウジングの上面より突出した操作部と、操作部と一体的に形成されスイッチ本体内に配設されるロータと、ベースの内底面に配設された複数の固定接片と対向して配設される弾性部材で形成した可動接片と、操作部の回転操作に連動して回転するロータにより可動接片を上下動させて電路の開閉をなすロータリスイッチにおいて、連結部の略中央部に貫通孔と、貫通孔と係合するベースの上面略中央部に突起を設けるとともに、固定片に垂設部を形成した構成としたので、可動接片をベース上面に固定する際の位置決めや加締条件が極めて容易となり生産性が良好なロータリスイッチを提供できる。
【発明を実施するための最良の形態】
【０００７】
本発明のロータリスイッチによれば、スイッチ本体をハウジングとベースで構成し、前記ハウジングの上面より突出した操作部と、該操作部と一体的に形成されスイッチ本体内に配設されるロータと、前記ベースの内底面に配設された複数の固定接片と対向して配設される弾性部材で形成した可動接片と、前記操作部の回転操作に連動して回転する前記ロータにより前記可動接片を上下動させて電路の開閉をなすロータリスイッチにおいて、前記ロータの裏面部の縁部に環状の凸部を設けるとともに、該凸部内に凹凸カムを形成し、前記可動接片に略円弧状で対向する固定片を連結部で一体的に形成し、前記固定片から突出した先端を遊端部として略中央部を山形に曲折させた複数の接触片を設けるとともに、前記固定片内面に対を成す垂設部を形成し、前記ロータの裏面部に設けた前記凸部が前記固定片の上面周囲を押圧するとともに、前記ロータの前記凸部内に位置する前記固定片に切欠部を設けるとともに、前記固定片から突出した前記接触片を前記遊端部にかけて前記可動接片の外形と略同等の曲率を設け、さらに前記可動接片に設けた対向する固定片から交互に接触片を配設し、加えて前記連結部の略中央部に貫通孔を設けて、該貫通孔と係合する前記ベースの上面略中央部に突起を設けた構成としたので、組立作業において位置決めが容易で、押下された接触片が発生する反発力をバランスよく分散して可動接片の傾きを抑え、極めて接触信頼性の良好なロータリスイッチを提供することが容易となる。
【実施例１】
【０００８】
以下、本発明の実施例について、図面を参照しながら詳細に説明する。
図１は本発明のロータリスイッチの実施例を表す分解斜視図、図２は本発明のロータリスイッチの可動接片形状を表す斜視図、図３は本発明のロータリスイッチのロータの裏面を表す斜視図である。
【０００９】
図１において、ハウジング１とベース７でスイッチ本体部分を構成するとともに、ロータ５の上面に設けた凹凸５ａと、板バネ３の固定部３ａから伸びる腕部３ｂに設けた突起３ｃで切換節度機構を形成するロータ５の操作部５ｂを、上面に貫通孔１ａを形成するハウジング１の内側から組み入れ、スイッチ本体内部には、ロータ５の回動に伴い、ロータ５の裏面部に設けた凹凸カム５ｃに連動する切換機構として、複数の端子７ａを突出させたベース７の内底面に固定接片７ｂを設け、固定接片７ｂに対応して接触する、複数の接触片６ａを設けた可動接片６を組み込む構成としている。
【００１０】
一方、図２に示すように、可動接片６を形成する複数の接触片６ａを固定する固定片６ｇの中央部に垂設部６ｃを設けて、可動接片６の回転移動を防止するとともに、連結部６ｂの中央部に設けられた貫通孔６ｄに、ベース７上面の中央部に設けた突起７ｃを挿入させて加締め固定して、図４に示すベース７と可動接片６を一体化することにより、次工程の組立作業性を容易とする。
【００１１】
さらに、可動接片６を構成する固定片６ｇの外形を円弧状に形成するとともに、固定片６ｇに切欠部６ｅを設け、図３のロータ５の裏面部の縁部に設けた環状の凸部５ｄで可動接片６の固定片６ｇを押圧した状態で、環状の凸部５ｄ内に形成された凹凸カム５ｃで可動接片６を構成する接触片６ａの略中央部を曲折した山形６ｆを押下させても、接触片６ａの固定片６ｇに発生する反発力に伴う固定片６ｇと連結部６ｂの持上がりを切欠部６ｅを設けたことで減衰させるとともに、ロータ５の圧接で可動接片６の傾きや持上がりは防止して、接触片６ａ先端部の接触力を保持し、接触機構の安定を確保する。
【００１２】
なお、上部のＯリング２はハウジング１とロータ５間の摺動部をシーリングし、また下方のＯリング４はハウジング１の溝に装着してフラックス等の浸入を防止するためのものである。
【産業上の利用可能性】
【００１３】
本発明のロータリスイッチは、特に機器の軽薄短小化に伴い、省スペース内で確実な接触安定性の確保を要求されるロータリスイッチに適している。
【図面の簡単な説明】
【００１４】
【図１】本発明のロータリスイッチの実施例を表す分解斜視図である。
【図２】本発明のローターリスイッチの可動接片形状を表す斜視図である。
【図３】本発明のロータリスイッチのロータの裏面を表す斜視図である。
【図４】本発明のロータリスイッチの実施例を表す中央断面図である。
【図５】従来のロータリスイッチを表す分解斜視図である。
【符号の説明】
【００１５】
１、１１  ハウジング
１ａ、６ｄ、１１ａ、１５ｅ、１８ｂ  貫通孔
２、４、１２、１６  Ｏリング
３、１３  板バネ
３ａ  固定部
３ｂ  腕部
３ｃ、７ｃ、１７ｂ  突起
５、１４  ロータ
５ａ  凹凸
５ｂ  操作部
５ｃ  凹凸カム
５ｄ  凸部
６、１５  可動接片
６ａ、１５ａ  接触片
６ｂ、１５ｃ  連結部
６ｃ、１５ｄ  垂設部
６ｅ  切欠部
６ｆ  山形
６ｇ、１５ｂ  固定片
７、１７  ベース
７ａ  端子
７ｂ  固定接片
１７ａ  固定接点
１８  ガイド板
１８ａ  折曲部
【図１】
2005322478.tif 000003
【図２】
2005322478.tif 000004
【図３】
2005322478.tif 000005
【図４】
2005322478.tif 000006
【図５】
2005322478.tif 000007